(57)【要約】【課題】遠隔の通信端末装置をスリープ状態からウェイクアップする従来の技術は構成規模が大きく低コストを実現することが困難であった。この発明は、低コストで遠隔の通信端末装置をウェイクアップさせることができる通信端末装置を得る。【解決手段】他の通信端末装置より送信されたパルス信号を受信するＲＦ部５と、ＲＦ部５により受信されたパルス信号が、所定時間受信しない状態が継続したとき、割り込み信号を出力するビーコン受信部８と、ビーコン受信部８より出力された割り込み信号により、スリープ状態からウェイクアップする端末制御部７とを備えたものである。【選択図】図１
2007166196.tif 000002
【特許請求の範囲】
【請求項１】
他の通信端末装置より送信されたパルス信号を受信する受信部と、
前記受信部により受信された前記パルス信号が、所定時間受信しない状態が継続したとき、割り込み信号を出力するビーコン受信部と、
前記ビーコン受信部より出力された前記割り込み信号により、省電力状態から起動状態に移行する端末制御部と
を備えたことを特徴とする通信端末装置。
【請求項２】
前記ビーコン受信部は、受信された前記パルス信号のうち所定の周期のパルス信号であるビーコン信号を検出するローパスフィルタと、
前記ローパスフィルタにより検出される前記ビーコン信号が所定の時間検出されないとき、前記割り込み信号を出力するタイマと
を備えたことを特徴とする請求項１記載の通信端末装置。
【請求項３】
他の通信端末装置より送信されたパルス信号を受信する受信部と、
前記受信部により受信された前記パルス信号のパルスが所定の数受信されたとき、割り込み信号を出力するビーコン受信部と、
前記ビーコン受信部より出力された前記割り込み信号により、省電力状態から起動状態に移行する端末制御部と
を備えたことを特徴とする通信端末装置。
【請求項４】
前記ビーコン受信部は、受信した前記パルス信号のうち所定の周期のパルス信号であるビーコン信号を検出するローパスフィルタと、
検出された前記ビーコン信号のパルス数をカウントするカウンタと、
前記ビーコン信号が検出されない時、ラッチ信号を出力する充電回路と、
前記カウンタのカウント値と前記充電回路より出力されたラッチ信号が入力され、前記ラッチ信号が入力されたときの前記カウント値を出力するラッチ部と、
前記ラッチ部により出力された前記カウント値が所定の値と等しいとき、前記割り込み信号を出力する比較部と
を備えたことを特徴とする請求項３記載の通信端末装置。
【請求項５】
前記受信部及び前記ビーコン受信部は、前記端末制御部が省電力状態であっても、常時起動状態であることを特徴とする請求項１〜４の何れかに記載の通信端末装置。
【請求項６】
複数の通信端末装置の間で通信を行う通信システムであって、
複数の通信端末装置の１つが定常的には所定の周期のパルス信号を送信し、他の通信端末装置を省電力状態から起動状態に移行させる場合には前記パルス信号の送信を停止し、
前記他の通信端末装置は請求項１又は２記載の通信端末装置からなる通信システム。
【請求項７】
複数の通信端末装置の間で通信を行う通信システムであって、
複数の通信端末装置の１つが他の通信端末装置を省電力状態から起動状態に移行させる場合には、当該他の通信端末装置に対応した数の所定周期のパルスを送信し、
前記他の通信端末装置は請求項３又は４記載の通信端末装置からなる通信システム。
【請求項８】
他の通信端末装置より送信されたパルス信号を受信し、
受信した前記パルス信号のうち所定の周期のパルス信号であるビーコン信号をローパスフィルタにより検出し、
検出した前記ビーコン信号を、所定のタイマ値を設定したタイマに入力し、
前記ビーコン信号のパルスをタイマに入力する度に、タイマのカウント値をリセットすると共にタイマをスタートさせ、タイマがタイムアップしたとき、省電力状態から起動状態に移行する通信端末装置の起動方法。
【請求項９】
他の通信端末装置より送信されたパルス信号を受信し、
受信した前記パルス信号のうち所定の周期のパルス信号であるビーコン信号をローパスフィルタにより検出し、
検出した前記ビーコン信号をカウンタ及び充電回路に入力し、
前記ビーコン信号のパルス数を前記カウンタによりカウントし、
前記充電回路に前記ビーコン信号が入力されない時、前記カウンタのカウント値を求め、前記カウント値が所定の値と等しいとき、省電力状態から起動状態に移行する通信端末装置の起動方法。
【発明の詳細な説明】
【技術分野】
【０００１】
この発明は、データを送受信する通信端末装置及びその起動方法並びに通信システムに関し、特に省電力状態から起動状態に移行する技術に関するものである。
【背景技術】
【０００２】
従来の技術には、ネットワーク上の休眠中パソコンを、遠隔操作で起動する機能で、Ｍａｇｉｃ  Ｐａｃｋｅｔ（登録商標）フレームと呼ばれる特定の情報パケットをネットワーク・ノードに送り実行される。この特定フレームを受信可能なパソコンが休眠状態になると、ＬＡＮコントローラのＭａｇｉｃ  Ｐａｃｋｅｔ（登録商標）モードがイネーブルされ、Ｍａｇｉｃ  Ｐａｃｋｅｔ（登録商標）フレームを受信するとシステムを起動する（非特許文献１参照）。
【０００３】
【特許文献１】特開２００３−１０１４５９号公報（請求項１）
【特許文献２】特開２００３−２５０１８７号公報（請求項１）
【非特許文献１】ＡＭＤ社  Ｗｈｉｔｅ  Ｐａｐｅｒ“Ｍａｇｉｃ  Ｐａｃｋｅｔ  Ｔｅｃｈｎｏｌｏｇｙ”Ｐｕｂｌｉｃａｔｉｏｎ＃  ２０２１３  Ｒｅｖ：  Ａ  Ａｍｅｎｄｍｅｎｔ／０  Ｉｓｓｕｅ  Ｄａｔｅ：  Ｎｏｖｅｍｂｅｒ  １９９５
【発明の開示】
【発明が解決しようとする課題】
【０００４】
従来の通信端末装置は、遠隔の通信端末装置を省電力状態（以下、スリープという。）から起動状態に移行（以下、ウェイクアップという。）するための機器は構成規模が大きく低コストを実現することが困難であった。
この発明は、係る課題を解決するためになされたもので、低コストで遠隔の通信端末装置をウェイクアップさせることができる通信端末装置を得るものである。
【課題を解決するための手段】
【０００５】
この発明に係る通信装置端末は、他の通信端末装置より送信されたパルス信号を受信する受信部と、受信部により受信されたパルス信号が、所定時間受信しない状態が継続したとき、割り込み信号を出力するビーコン受信部と、ビーコン受信部より出力された割り込み信号により、省電力状態から起動状態に移行する端末制御部とを備えたものである。
【発明の効果】
【０００６】
この発明は、他の通信端末装置より送信されたパルス信号を受信部により受信し、パルス信号が所定時間受信しない状態が継続したとき、ビーコン受信部によりウェイクアップの割り込み信号を出力することにより、通信端末機器の構成規模を小さくすることができ、コストを低減させることができる。
【発明を実施するための最良の形態】
【０００７】
実施の形態１．
図１はこの発明の実施の形態１における通信端末装置の構成を示した図、図２はこの発明の実施の形態１におけるビーコン受信部の構成を示す図である。
図１において、本体１は、機器制御部２とビーコン送信部３とデータ送受信部４とＲＦ部５で構成され、リモコン６は、データ送受信部４とＲＦ部５と端末制御部７とビーコン受信部８で構成されている。
本体１は他の通信端末装置とのデータ送受信及びウェイクアップ指令を送信する通信端末装置であり、機器制御部２は本体１の機器全体を制御する。ビーコン送信部３は所定の周期のパルス信号であるビーコン信号を生成し、データ送受信部４は機器の運転や停止などの動作のためのデータを送受信する。受信部であるＲＦ部５はビーコン信号及びデータを無線電波として送受信する。また、リモコン６は他の通信端末装置とデータ送受信及びウェイクアップ指令を受信する通信端末装置であり、端末制御部７はリモコン６の機器全体を制御し必要によりスリープ状態に移行する。ビーコン受信部８は端末制御部７をウェイクアップさせる割り込み信号を出力する。
図２において、ビーコン受信部８は、ＲＦ部５で受信された受信信号のうちビーコン信号のみを取出すローパスフィルタであるフィルタ９と所定のタイマ値が設定されタイムアップすると割り込み信号を出力するタイマ１０により構成されている。
【０００８】
図３はこの発明の実施の形態１におけるウェイクアップ用ビーコン信号とデータの信号の波形である。図３に示すように、本体１から送信するウェイクアップ用ビーコン信号は、データ通信用信号よりも長周期で予め定めた一定周期のパルス信号である。
【０００９】
次に本実施の形態１の動作について説明する。
本体１とリモコン６とが通信を行う必要が無い場合は、本体１の機器制御部２はビーコン信号をビーコン送信部３で生成させ、ＲＦ部５よりリモコン６に対して送信させ続ける。
一方、リモコン６の端末制御部７は、特に処理が無い場合など必要により電力消費を抑えるため端末制御部７及びデータ送受信部４をスリープ状態に移行させる。但し、電波を受信するためのＲＦ部５とビーコン受信部８は常時起動状態である。
リモコン６のＲＦ部５は、本体１より送信されたパルス信号を受信し、ビーコン受信部８のフィルタ９は、ＲＦ部５により受信されたパルス信号のうち所定の周期のパルス信号であるビーコン信号を検出し、検出したビーコン信号をタイマ１０に入力する。タイマ１０はビーコン信号のパルスが入力される度にタイマカウント値をリセットすると共にタイマカウントをスタートさせる。尚、タイマ１０のタイマ値はビーコン信号のパルス間隔よりも長い値である。
例えばリモコン６に本体１の状態を通知するなど、本体１とリモコン６との通信を行う必要があるとき、本体１の機器制御部２はビーコン信号の送信を停止させる。リモコン６のタイマ１０は、ビーコン信号のパルスの入力が停止し、タイマカウント値がリセットされずタイムアップとなり、端末制御部７へウェイクアップのための割り込み信号を出力する。端末制御部７は、割り込み信号が入力されると端末制御部７及びデータ送受信部４をウェイクアップさせる。
【００１０】
以上のように本実施の形態１においては、本体１より送信されたパルス信号を受信するＲＦ部５と、受信されたパルス信号のうち所定の周期のパルス信号であるビーコン信号を検出するフィルタ９と、ビーコン信号が所定の時間検出されないとき、割り込み信号を出力するタイマ１０とを備え、端末制御部７は前記割り込み信号により、端末制御部７及びデータ送受信部４をウェイクアップさせることにより、ウェイクアップに必要な機器を安価な構成にすることができ、コストを低減させることができる。
また、データ送受信部４を動作させること無くウェイクアップすることが可能なので、スリープ中の電力消費を抑えることができる。
さらに、ビーコン信号を受信している間はスリープとし、ビーコン信号を受信していないときウェイクアップするようにしているので、無線による通信の場合には、電波が受信できない場合にウェイクアップし、相手をサーチする動作に移行することができる。
また、低コストで遠隔の通信端末装置を起動することができる家電ネットワーク端末を得ることができる。
【００１１】
尚、本実施の形態１では、本体１からスリープしているリモコン６をウェイクアップする場合を説明したが、本発明はこれに限るものでなく、他の通信端末装置でも良く、また、複数台の通信端末装置でも良い。
【００１２】
実施の形態２．
図４はこの発明の実施の形態２におけるビーコン受信部の構成を示す図である。
実施の形態１では、ビーコン受信部８をフィルタ９とタイマ１０により構成したが、本実施の形態２では、図４に示すように、ビーコン受信部８をＬＰＦ１１とカウンタ１２と充電回路１３とラッチ部１４とＤＩＰＳＷ部１５と比較部１６で構成している。
ＬＰＦ１１は、所定の周期のパルス信号であるビーコン信号を検出するローパスフィルタであり、カウンタ１２は、ビーコン信号のパルス数をカウントしカウント値を出力するカウンタである。充電回路１３は、ビーコン信号のパルス信号を平滑化し、ビーコン信号入力時はＨｉレベル、ビーコン信号が入力されない時はＬｏｗレベルのラッチ信号を出力する。ラッチ部１４は、カウンタ１２のカウント値及びラッチ信号が入力され、ラッチ信号がＬｏｗレベルの時、ビーコン信号のパルスのカウント値を出力する。ＤＩＰＳＷ部１５は、自端末ＩＤとしてディップスイッチにより当該リモコン６の固有の値が設定されており、比較部１６は、ＤＩＰＳＷ部１５の自端末ＩＤ値とラッチ部１４より入力されたカウンタ値とを比較し、等しい場合には割り込み信号を出力する。
【００１３】
次に本実施の形態２の動作について説明する。
本実施の形態２において、スリープ中のリモコン６をウェイクアップさせる場合、本体１の機器制御部２は、ビーコン送信部３にウェイクアップさせるリモコン６の自端末ＩＤ値と同じ数のビーコン信号のパルスを生成させ、ＲＦ部５によりビーコン信号を送信させる。一方、スリープ中のリモコン６は、端末制御部７及びデータ送受信部４がスリープしており、電波を受信するためのＲＦ部５とビーコン受信部８は常時起動状態である。リモコン６のＲＦ部５は、本体１より送信されたパルス信号を受信し、ビーコン受信部８のＬＰＦ１１は、ＲＦ部５により受信されたパルス信号のうち所定の周期のパルス信号であるビーコン信号を検出し、検出したビーコン信号をカウンタ１２及び充電回路１３に出力する。カウンタ１２は、入力されたビーコン信号のパルス数をカウントし、カウント値をラッチ部１４に出力し、充電回路１３は、Ｈｉレベルのラッチ信号をラッチ部１４に出力する。
ビーコン信号の入力が停止した時、充電回路１３は、Ｌｏｗレベルのラッチ信号をラッチ部１４に出力し、ラッチ部１４は、Ｌｏｗレベルのラッチ信号が入力された時、即ち、ビーコン信号の受信完了時のパルス数のカウント値をラッチして比較部１６に出力する。比較部１６は、ＤＩＰＳＷ部１５の自端末ＩＤ設定値とラッチ部１４より入力されたカウンタ値とを比較し、等しい場合には端末制御部７へウェイクアップのための割り込み信号を出力する。端末制御部７は、割り込み信号が入力されると端末制御部７及びデータ送受信部４をウェイクアップさせる。
【００１４】
以上のように本実施の形態２においては、ビーコン信号のパルス数と通信端末装置の自端末ＩＤ値とが等しい場合、当該通信端末装置をウェイクアップさせることにより、スリープ中の通信端末装置が複数台あった場合でも、特定の通信端末装置をウェイクアップさせることができる。
また、データ送受信部４を動作させること無くウェイクアップすることが可能なので、スリープ中の電力消費を抑えることができる。
【００１５】
尚、上記実施の形態１及び実施の形態２では、無線による通信の場合を説明したが、本発明はこれに限らず、有線又は赤外線など他の通信媒体を用いても良い。
【図面の簡単な説明】
【００１６】
【図１】この発明の実施の形態１における通信端末装置の構成を示した図である。
【図２】この発明の実施の形態１におけるビーコン受信部の構成を示す図である。
【図３】この発明の実施の形態１におけるウェイクアップ用ビーコン信号とデータの信号の波形である。
【図４】この発明の実施の形態２におけるビーコン受信部の構成を示す図である。
【符号の説明】
【００１７】
１  本体、２  機器制御部、３  ビーコン送信部、４  データ送受信部、５  ＲＦ部、６  リモコン、７  端末制御部、８  ビーコン受信部、９  フィルタ、１０  タイマ、１１  ＬＰＦ、１２  カウンタ、１３  充電回路、１４  ラッチ部、１５  ＤＩＰＳＷ部、１６  比較部。
【図１】
2007166196.tif 000003
【図２】
2007166196.tif 000004
【図３】
2007166196.tif 000005
【図４】
2007166196.tif 000006